(57)【要約】【課題】操作パネルの操作に慣れていないユーザーに対してもより簡単に設定の変更を行なえるようにする。【解決手段】コピーモードとスキャンモードとファックスモードのうち電源投入時に設定する初期モードの項目を有する設定用マークシートを印刷し、記入済みの設定用マークシートの読み取りを受け付け、読み取った設定用マークシートを解析し、設定項目テーブルを参照して対象設定項目の設定値を取得し、対象設定項目を取得した設定値に変更する。これにより、ユーザー毎に使用頻度が異なるモードを簡単な設定で初期モードとして登録することができる。【選択図】図５
2011234294.tif 000002
【特許請求の範囲】
【請求項１】
画像を媒体に印刷する印刷手段と、前記印刷された画像を読み取る読み取り手段とを制御する印刷制御装置であって、
所定の設定変更の指示がなされた場合に、実行可能な機能として印刷モードと読み取りモードとを含む複数のモードの中から電源投入時の初期モードを選択するための設定項目を含む複数の設定項目の記入欄が設けられた設定用画像が前記媒体に印刷されるよう前記印刷手段を制御し、前記記入欄に記入済みの設定用画像が読み取られるよう前記読み取り手段を制御し、前記記入欄に関する情報を用いて前記読み取った設定用画像を解析して選択された設定情報を判定し、該判定した設定情報を対応する設定項目の設定に反映させる
ことを特徴とする印刷制御装置。
【請求項２】
前記記入欄に記入済みの設定用画像の読み取りの後に、前記複数の設定項目のうち変更された設定項目を確認用画像として前記媒体に印刷するよう前記印刷手段を制御することを特徴とする請求項１記載の印刷制御装置。
【請求項３】
前記記入欄に記入済みの設定用画像の読み取りの後に、前記複数の設定項目のうち記入エラーが生じている設定項目を確認用画像として前記媒体に印刷するよう前記印刷手段を制御することを特徴とする請求項１または２記載の印刷制御装置。
【請求項４】
前記確認用画像に設定項目を修正するための記入欄を設けて前記媒体に印刷されるよう前記印刷手段を制御し、前記記入欄に記入済みの確認用画像が読み取られるよう前記読み取り手段を制御し、前記読み取った確認用画像を解析して修正について判定をし、該判定結果を対応する設定項目の設定に反映させることを特徴とする請求項２または３記載の印刷制御装置。
【請求項５】
画面を表示する表示手段を制御する請求項１ないし４いずれか１項に記載の印刷制御装置であって、
前記初期モードの選択に加えて、前記表示装置に表示可能な複数の言語の中からを使用する言語を選択するための記入欄が設けられた設定用画像が前記媒体に印刷されるよう前記印刷手段を制御し、前記記入欄に記入済みの設定用画像が読み取られるよう前記読み取り手段を制御し、前記記入欄に関する情報を用いて前記読み取った設定用画像を解析して選択された言語を判定し、該判定した言語を前記表示装置で表示する文字の言語として設定する
ことを特徴とする印刷制御装置。
【請求項６】
請求項１ないし５いずれか１項に記載の印刷制御装置であって、
前記初期モードの選択に加えて、節電の有無を選択するための記入欄が設けられた設定用画像が前記媒体に印刷されるよう前記印刷手段を制御し、前記記入欄に記入済みの設定用画像が読み取られるよう前記読み取り手段を制御し、前記記入欄に関する情報を用いて前記読み取った設定用画像を解析して選択された節電状態を判定し、該判定した節電状態を設定する
ことを特徴とする印刷制御装置。
【発明の詳細な説明】
【技術分野】
【０００１】
本発明は、印刷制御装置に関する。
【背景技術】
【０００２】
従来、この種の印刷制御装置としては、ユーザーによりプリンター設定モードが選択された場合に、プリンターの印字条件の設定と記入欄とが対応付けられた設定シートを印字し、ユーザーによる記入済みの設定シートをスキャナーで読み取って解析し、解析結果をプリンターの印字条件の設定に反映させるものが提案されている（例えば、特許文献１参照）。この装置では、プリンターの印字条件の設定項目としては、印字濃度や、印字速度、オートパワーオフのオンオフ、通信設定、ヘッドチェックのオンオフ、キー入力音の有無などの項目がある。
【先行技術文献】
【特許文献】
【０００３】
【特許文献１】特開２００４−１５５００９号公報
【発明の概要】
【発明が解決しようとする課題】
【０００４】
ところで、マルチファンクション型のプリンターでは、通常、電源投入時にはデフォルトの機能が選択されるようになっており、デフォルトとは異なる他の機能が必要となった場合には、ユーザーの操作によって機能を切り替えるものとしている。しかしながら、各機能の使用頻度はユーザー毎に異なる場合が多く、ユーザーによっては電源投入時に設定される機能から使用したい機能へ頻繁に切り替える必要が生じる。マルチファンクション型のプリンターの全ての設定項目の一覧を一画面に表示し、各設定項目の選択を少ない操作により受け付けるようにすることも考えられるが、プリンターに搭載される小型の表示パネルでは多数の設定項目の一覧を一画面に表示することは困難であり、メニュー画面からキー操作によって目的とする設定項目まで辿る必要が生じる結果、ユーザーの手間が過大となる。
【０００５】
本発明の印刷制御装置は、煩わしい繰り返し操作を課すことなく、ユーザーの希望する機能を選択できるようにすることを主目的とする。
【０００６】
本発明の印刷制御装置は、上述の主目的を達成するために以下の手段を採った。
【課題を解決するための手段】
【０００７】
本発明の印刷制御装置は、
画像を媒体に印刷する印刷手段と、前記印刷された画像を読み取る読み取り手段とを制御する印刷制御装置であって、
所定の設定変更の指示がなされた場合に、実行可能な機能として印刷モードと読み取りモードとを含む複数のモードの中から電源投入時の初期モードを選択するための設定項目を含む複数の設定項目の記入欄が設けられた設定用画像が前記媒体に印刷されるよう前記印刷手段を制御し、前記記入欄に記入済みの設定用画像が読み取られるよう前記読み取り手段を制御し、前記記入欄に関する情報を用いて前記読み取った設定用画像を解析して選択された設定情報を判定し、該判定した設定情報を対応する設定項目の設定に反映させる
ことを要旨とする。
【０００８】
この本発明の印刷制御装置では、所定の設定変更の指示がなされた場合に、実行可能な機能として印刷モードと読み取りモードとを含む複数のモードの中から電源投入時の初期モードを選択するための設定項目を含む複数の設定項目の記入欄が設けられた設定用画像を媒体に印刷し、記入欄に記入済みの設定用画像を読み取り、記入欄に関する情報を用いて読み取った設定用画像を解析して選択された設定情報を判定し、判定した設定情報を対応する設定項目の設定に反映させる。これにより、パネル操作に不慣れなユーザーに対して、煩わしい繰り返し操作を課すことなく、ユーザーの希望する機能を選択できるようにすることができる。
【０００９】
こうした本発明の印刷制御装置において、前記記入欄に記入済みの設定用画像の読み取りの後に、前記複数の設定項目のうち変更された設定項目を確認用画像として前記媒体に印刷するよう前記印刷手段を制御するものとすることもできる。こうすれば、設定変更の内容を容易に確認することができる。
【００１０】
また、本発明の印刷制御装置において、前記記入欄に記入済みの設定用画像の読み取りの後に、前記複数の設定項目のうち記入エラーが生じている設定項目を確認用画像として前記媒体に印刷するよう前記印刷手段を制御するものとすることもできる。こうすれば、ユーザーの記入ミスを容易に確認することができる。
【００１１】
さらに、本発明の印刷制御装置において、前記確認用画像に設定項目を修正するための記入欄を設けて前記媒体に印刷されるよう前記印刷手段を制御し、前記記入欄に記入済みの確認用画像が読み取られるよう前記読み取り手段を制御し、前記読み取った確認用画像を解析して修正について判定をし、該判定結果を対応する設定項目の設定に反映させるものとすることもできる。こうすれば、設定変更の内容や記入ミスを容易に修正することができる。
【００１２】
画面を表示する表示手段を制御する上述した態様のいずれかの本発明の印刷制御装置において、前記初期モードの選択に加えて、前記表示装置に表示可能な複数の言語の中からを使用する言語を選択するための記入欄が設けられた設定用画像が前記媒体に印刷されるよう前記印刷手段を制御し、前記記入欄に記入済みの設定用画像が読み取られるよう前記読み取り手段を制御し、前記記入欄に関する情報を用いて前記読み取った設定用画像を解析して選択された言語を判定し、該判定した言語を前記表示手段で表示する文字の言語として設定するものとすることもできる。こうすれば、使用言語を簡単な操作で選択できるようにすることができる。
【００１３】
また、本発明の印刷制御装置において、前記初期モードの選択に加えて、節電の有無を選択するための記入欄が設けられた設定用画像が前記媒体に印刷されるよう前記印刷手段を制御し、前記記入欄に記入済みの設定用画像が読み取られるよう前記読み取り手段を制御し、前記記入欄に関する情報を用いて前記読み取った設定用画像を解析して選択された節電状態を判定し、該判定した節電状態を設定するものとすることもできる。こうすれば、節電の有無を簡単な操作で選択できるようにすることができる。
【図面の簡単な説明】
【００１４】
【図１】本実施形態の複合機２０の外観図。
【図２】複合機２０の概略構成図。
【図３】設定変更処理ルーチンの一例を示すフローチャート。
【図４】設定用マークシート印刷処理の一例を示すフローチャート。
【図５】設定用マークシートの一例を示す説明図。
【図６】設定変更処理の一例を示すフローチャート。
【図７】設定項目テーブルの一例を示す説明図。
【図８】確認用マークシート印刷処理の一例を示すフローチャート。
【図９】確認用マークシートの一例を示す説明図。
【図１０】設定確認処理の一例を示すフローチャート。
【図１１】確認項目テーブルの一例を示す説明図。
【発明を実施するための形態】
【００１５】
図１は本発明の一実施形態である複合機２０の外観を示す外観図であり、図２は本実施形態の複合機２０の構成の概略を示す構成図である。
【００１６】
本実施形態の複合機２０は、図１に示すように、画像データに基づいて画像を用紙に印刷するプリンター部３０と、プリンター部３０の上部に設置され原稿上の画像を画像データとして読み取るスキャナー部４０と、スキャナー部４０の手前に設けられユーザによる指示の入力や各種情報の表示を行う操作パネル５０と、装置全体をコントロールするメインコントローラー６０（図２参照）とを備える。この複合機２０では、スキャナー部４０で原稿をスキャンしてデータ化すると共にデータに基づいてプリンター部３０で印刷することによりコピーするコピーモードや、スキャナー部４０で原稿をスキャンしデータ化してフラッシュメモリー６４に記録するスキャンモード、スキャナー部４０で原稿をスキャンしデータ化してテンキーで指定された転送先に転送するファックスモードがある。
【００１７】
プリンター部３０は、図２に示すように、プリンターエンジン３１と、プリンターエンジン３１を制御するプリンターＡＳＩＣ（Application Specific Integrated Circuit）３９とを備える。プリンターエンジン３１は、単一感光体方式と中間転写方式とを採用したフルカラーの電子写真方式のプリンターエンジンとして構成されており、帯電可能な感光体３２と、帯電された表面上にＣ（シアン），Ｍ（マゼンタ），Ｙ（イエロー），Ｋ（ブラック）の各色ごとの画像の静電潜像を感光体３２に形成する露光ユニット３３と、各色のトナーカートリッジ３４Ｃ，３４Ｍ，３４Ｙ，３４Ｋから供給される各色のトナーを感光体３２上に形成された静電潜像に付着させてトナー像として現像する現像器３５と、現像した各色のトナー像を重ね合わせるよう一次転写する中間転写体としての転写ベルト３６と、用紙カセット２２（図１参照）から搬送された用紙Ｐに転写ベルト３６上に形成された４色のトナー像を二次転写する二次転写ユニット３７と、用紙Ｐ上に転写された４色のトナー像を用紙Ｐに溶融し定着させる定着ユニット３８と、を備える。定着ユニット３８によりトナー像を定着した用紙Ｐは、前面に設けられた排出トレイ２４（図１参照）に排出されるようになっている。プリンター部３０は、図示しない電源管理部により電源供給が管理されており、電源供給が停止されると、機構内の電力の消費が抑制（例えば、定着ユニット３８のヒーターへの通電が停止）される節電状態となり、電源供給が開始されると、機構内のウォームアップを実行し、ウォームアップ終了後に印刷可能な状態となる。
【００１８】
スキャナー部４０は、スキャナーエンジン４１と、スキャナーエンジン４１を制御するスキャナーＡＳＩＣ（Application Specific Integrated Circuit）４９とを備える。スキャナーエンジン４１は、用紙トレイ２６から図示しない搬送ローラーによって読み取り部４２に搬送された用紙Ｐを光学的に読み取るラインイメージセンサー４４と、ラインイメージセンサー４４を走査させる走査部４６と、を備える。ここで、ラインイメージセンサー４４は、用紙Ｐに向かって発光した後の反射光をレッド（Ｒ）、グリーン（Ｇ）、ブルー（Ｂ）の各色に分解してスキャンデータとする周知のカラーイメージセンサーとして構成されている。
【００１９】
操作パネル５０は、ユーザーが複合機２０に対して各種の指示を入力するためのデバイスであり、各種操作を行なうための操作部５２や、各種の指示に応じた文字や画像が表示されるカラー液晶パネルにより構成された表示部５４が設けられている。操作部５２は、詳細には図示しないが、複合機２０の電源をオンにする電源ボタンや、原稿台（読み取り部４２）に載置された原稿のコピーやスキャン、ＦＡＸ送信などを開始するスタートボタン、メニュー画面を呼び出すメニューボタン、ファックス（ＦＡＸ）番号を入力するためのテンキー、メニュー画面の各項目を選択するためのカーソルを移動させるためのカーソルキー、各項目の選択を決定するための決定キー、１つ前の画面に戻る戻るボタンなどが設けられている。メニュー画面の各項目は、階層構造となっており、ユーザーによるキー操作によって上位のメニュー画面から下位のメニュー画面へ辿ることにより、所望の項目の設定を選択できるようになっている。なお、表示部５４は、複数の言語に対応（本実施形態では、日本語と英語とフランス語とドイツ語に対応）しており、ユーザーによって選択された言語により各種文字情報を表示する。
【００２０】
メインコントローラー６０は、ＣＰＵ６１を中心とするマイクロプロセッサーとして構成されており、各種処理プログラムを記憶するＲＯＭ６２と、一時的にデータを記憶するＲＡＭ６３と、書き換え可能で電源を切ってもデータは保持されるフラッシュメモリー６４と、を備える。このコントローラー６０は、バス６８を介してプリンターＡＳＩＣ３９やスキャナーＡＳＩＣ４９、操作パネル５０と電気的に接続されており、プリンターＡＳＩＣ３９への印刷指令信号やスキャナーＡＳＩＣ４９への読取指令信号、操作パネル５０への表示指令信号などを出力したり、プリンターＡＳＩＣ３９からのプリンター部３０の状態に関する信号やスキャナーＡＳＩＣ４９からのスキャナー部４０の状態に関する信号，操作パネル５０からの各種操作信号などを入力したりする。
【００２１】
次に、こうして構成された本実施形態の複合機２０の動作、特に、複合機２０の各種設定を変更する際の動作について説明する。図３は、メインコントローラー６０により実行される設定変更処理ルーチンの一例を示すフローチャートである。
【００２２】
設定変更処理ルーチンが実行されると、メインコントローラー６０のＣＰＵ６１は、まず、ユーザーからの設定変更の指示を受け付ける（ステップＳ１００）。ここで、設定変更の指示は、キー操作でメニュー画面を辿ることにより設定変更の項目を選択するものとしたり、専用キーを設けてこのキーの操作によって行なうものとしてもよい。設定変更が指示されると、図４に示す設定用マークシート印刷処理を実行する（ステップＳ１１０）。図４の設定用マークシート印刷処理は、このルーチンで変更が可能な設定値の現在の値（現在値）を読み出し（ステップＳ２００）、読み出した現在値をレイアウトして設定用マークシートを作成し（ステップＳ２１０）、作成した設定用マークシートを印刷し（ステップＳ２２０）、案内画面、例えば、「設定用マークシートに記入し、記入した設定用マークシートを原稿台にセットしてスタートボタンを押して下さい。」などを表示部５４に表示する（ステップＳ２３０）、ことにより行なわれる。図５に、設定用マークシートの一例を示す。設定用マークシートは、図示するように、日本語と英語とフランス語とドイツ語の中で使用する表示言語の項目と、節電の有無の項目と、コピーモードとスキャンモードとファックスモードのうち電源投入時に設定する初期モードの項目とがあり、ユーザーは、各項目のうち変更したい項目のチェックボックスの１つを選んで塗り潰すことにより選択できるようになっている。
【００２３】
そして、ユーザーからのスキャン指示を受け付け（ステップＳ１２０）、スキャン指示がなされると、図６に示す設定変更処理を実行する（ステップＳ１３０）。図６の設定変更処理では、記入済みの設定用マークシートをスキャナー部４０で読み取る（ステップＳ３００）。続いて、読み取った設定用マークシートの各項目のうち対象設定項目を設定し（ステップＳ３１０）、設定した対象設定項目の各チェックボックスを検索し（ステップＳ３２０）、黒塗りされたチェックボックス（黒塗りボックス）があるか否かを判定する（ステップＳ３３０）。ここで、黒塗りボックスの判定は、図７に例示する設定項目テーブルを用いて行なわれる。具体的には、設定項目テーブルのチェックボックスの座標と枠サイズとから対象設定項目におけるチェックボックス内の画素を特定してその画素の色を判定し、枠サイズ（枠内の総画素数）に対する黒色画素の個数の割合が１／２以上あるか否かにより行なわれる。なお、設定用マークシートに位置合わせ用のマークを付すものとすれば、位置合わせ用マークとの相対位置によってチェックボックスの位置を把握することになるから、スキャンの際の用紙ズレなどが生じるものとしても、ステップＳ３３０の判定をより正確に行なうことができる。対象設定項目に黒塗りボックスがないと判定されると（ステップＳ３４０）、対象設定項目の設定変更は指示されていないと判断して、次のステップＳ３９５の処理に進む。一方、対象設定項目に黒塗りボックスがあると判定されると（ステップＳ３４０）、黒塗りボックスの数は１個であるか否かを判定し（ステップＳ３５０）、１個であると判定されると、黒塗りボックスの座標に基づいて設定項目テーブルを参照して設定値を取得し（ステップＳ３６０）、現在値と取得した設定値とを比較する（ステップＳ３７０）。現在値と設定値とが同一の場合には、設定変更の必要はないから、次のステップＳ３９５に進み、現在値と設定値とが同一でない場合には、対象設定項目を取得した設定値に変更する（ステップＳ３８０）。ステップＳ３５０で黒塗りボックスが１個でないと判定、即ち２個以上とされると、対象設定項目をエラー項目に設定する（ステップＳ３９０）。そして、全ての設定項目について処理が完了するまでステップＳ３１０に戻ってステップＳ３１０〜Ｓ３９０の処理を繰り返して（ステップＳ３９５）、本処理を終了する。
【００２４】
設定変更処理ルーチンに戻って、ステップＳ１３０の設定変更処理が実行されると、図８の確認用マークシート印刷処理を実行する（ステップＳ１４０）。図８の確認用マークシート印刷処理は、図６の設定変更処理による設定変更があったか否かを判定し（ステップＳ４００）、設定変更があったときには、その変更項目をレイアウトし（ステップＳ４１０）、エラー項目があったか否かを判定し（ステップＳ４２０）、エラー項目があったときには、そのエラー項目をレイアウトして（ステップＳ４３０）、確認用マークシートを作成し（ステップＳ４４０）、作成した確認用マークシートを印刷すると共に（ステップＳ４５０）、案内画面、例えば、「確認用マークシートに記入し、記入した確認用マークシートを原稿台にセットしてスタートボタンを押して下さい。」などを表示部５４に表示する（ステップＳ４６０）、ことにより行なわれる。図９に、確認用マークシートの一例を示す。確認用マークシートは、図示するように、変更項目とエラー項目だけを印刷したものであり、変更項目については変更前および変更後の設定値と共に変更前の設定値に戻すための「元に戻す」のチェックボックスとがレイアウトされ、エラー項目については再度設定の変更を受け付けるためのチェックボックスがレイアウトされている。ユーザーは、各項目毎に各チェックボックスの１つを選んで塗り潰すことにより選択できるようになっている。
【００２５】
確認用マークシートを印刷すると、ユーザーからのスキャン指示を受け付け（ステップＳ１５０）、スキャン指示がなされると、図１０に示す設定確認処理を実行して（ステップＳ１６０）、本ルーチンを終了する。図１０の設定確認処理では、記入済みの確認用マークシートをスキャナー部４０で読み取る（ステップＳ５００）。続いて、読み取った確認用マークシートの各項目（変更項目あるいはエラー項目）のうち対象設定項目を設定し（ステップＳ５１０）、設定した対象設定項目が変更項目の場合には（ステップＳ５２０）、「元に戻す」のチェックボックスが黒塗りされている（黒塗りボックス）か否かを判定し（ステップＳ５３０）、「元に戻す」のチェックボックスが黒塗りされているときには、対象設定項目を変更前の設定値に戻す処理を実行する（ステップＳ５４０）。なお、黒塗りボックスか否かの判定は、図１１の設定項目テーブルを用いて、前述した図６の設定変更処理のステップＳ３２０〜Ｓ３４０と同様の処理により行なわれる。一方、設定した対象設定項目がエラー項目の場合には（ステップＳ５５０）、図６の設定変更処理のステップＳ３２０〜Ｓ３７０と同様の処理により対象設定項目の各チェックボックスの１つが黒塗り、即ち設定値が選択されているか否かを判定し（ステップＳ５６０）、選択されている場合には、対象設定項目を選択された設定値に変更する（ステップＳ５７０）。そして、全ての設定項目について処理が完了するまでステップＳ５１０に戻ってステップＳ５１０〜Ｓ５７０の処理を繰り返して（ステップＳ５８０）、本処理を終了する。
【００２６】
以上説明した本実施形態の複合機２０によれば、コピーモードとスキャンモードとファックスモードのうち電源投入時に設定する初期モードの項目を有する設定用マークシートを印刷し、記入済みの設定用マークシートの読み取りを受け付け、読み取った設定用マークシートを解析し、設定項目テーブルを参照して対象設定項目の設定値を取得し、対象設定項目を取得した設定値に変更するから、ユーザー毎に使用頻度が異なるモードを簡単な設定で初期モードとして登録することができる。この結果、操作パネルの操作に慣れていないユーザーに対してもより簡単に設定の変更を行なうことができる。しかも、日本語と英語とフランス語とドイツ語の中で使用する表示言語の項目と、節電の有無の項目の設定も、設定用マークシートにより受け付けるから、こうした設定の変更も、一括して行なうことができる。また、設定変更がなされると、設定変更がなされた項目を確認用マークシートに印刷するから、設定変更をユーザーが確認することができる。さらに、エラー項目も併せて確認用マークシートに印刷して再度設定変更を受け付けるから、ユーザーの記入ミスにも対応することができる。
【００２７】
上述した実施形態では、複数のモードとしてコピーモードとスキャンモードとファックスモードとを備えるものとしたが、ファックスモードは備えないものとしてもよい。また、これらと異なるモードを備えていてもよい。
【００２８】
上述した実施形態では、設定用マークシートのチェックボックス内を黒色で塗り潰すことにより各項目を選択するものとしたが、ユーザーによる記入方式で各項目の選択を行なうことができるものであれば、如何なる手法を用いるものとしてもよい。例えば、光学文字認識（Optical Character Recognition）機能を有するスキャナーを搭載する複合機であれば、文字や数字を用いて各項目を選択できるようにしてもよい。
【００２９】
上述した実施形態では、確認用マークシートを印刷することにより、ユーザーによる設定変更の確認とエラー項目の再設定とを行なえるようにしたが、これらの一方または両方を省略するものとしてもよい。この場合、必要に応じて図３の設定変更処理ルーチンのステップＳ１４０〜Ｓ１６０（図８の確認用マークシート印刷処理、図１０の設定確認処理）を省略するものとすればよい。
【００３０】
上述した実施形態では、設定変更が可能な項目として、表示言語の項目と節電の有無の項目と初期モードの項目とを挙げるものとしたが、表示言語の項目を省略したり、節電の有無の項目を省略するものとしてもよいし、別の項目を加えるものとしてもよい。
【００３１】
本発明は上述した実施形態に何ら限定されることはなく、本発明の技術的範囲に属する限り種々の態様で実施し得ることはいうまでもない。
【符号の説明】
【００３２】
２０  複合機、２２  用紙カセット、２４  排紙トレイ、２６  用紙トレイ、３０  プリンター部、３１  プリンターエンジン、３２  感光体、３３  露光ユニット、３４Ｃ，３４Ｍ，３４Ｙ，３４Ｋ  トナーカートリッジ、３５  現像器、３６  転写ベルト、３７  二次転写ユニット、３８  定着ユニット、３９  プリンターＡＳＩＣ、４０  スキャナー部、４１  スキャナーエンジン、４２  読み取り部、４４  ラインイメージセンサー、４６  走査部、４９  スキャナーＡＳＩＣ、５０  操作パネル、５２  操作部、５４  表示部、６０  メインコントローラー、６１  ＣＰＵ、６２  ＲＯＭ、６３  ＲＡＭ、６４  フラッシュメモリー、６８  バス。
【図１】
2011234294.tif 000003
【図２】
2011234294.tif 000004
【図３】
2011234294.tif 000005
【図４】
2011234294.tif 000006
【図５】
2011234294.tif 000007
【図６】
2011234294.tif 000008
【図７】
2011234294.tif 000009
【図８】
2011234294.tif 000010
【図９】
2011234294.tif 000011
【図１０】
2011234294.tif 000012
【図１１】
2011234294.tif 000013